(57)【特許請求の範囲】
【請求項１】
電子ビームの走査方向のマーク幅が走査方向と直交方向の長さに比べて小さいスリット形状の開口マークを備えた少なくとも１個の第１の散乱体領域と、直線状のエッジ形状をもつ開口マークを備えた少なくとも１個の第２の散乱体領域と、前記第１の散乱体領域および前記第２の散乱体領域からの電子を検出する電子検出素子とを有し、
前記第１の散乱体領域と前記第２の散乱体領域とは、計測する前記電子ビームのビームサイズに応じて切り替えて用いられるものであることを特徴とする電子ビーム検出器。
【請求項２】
請求項１に記載の電子ビーム検出器において、前記第１の散乱体領域および前記第２の散乱体領域を、それぞれ複数個有し、かつ、一支持体上に配置してなることを特徴とする電子ビーム検出器。
【請求項３】
請求項１又は２に記載の電子ビーム検出器において、前記スリット形状の開口マークは、計測する最小のビームサイズ以下の前記マーク幅と、計測する最大のビームサイズ以上の前記長さを有することを特徴とする電子ビーム検出器。
【請求項４】
請求項３に記載の電子ビーム描画装置において、前記電子ビームは、可変成形ビームもしくは一括図形ビームであることを特徴とする電子ビーム検出器。
【請求項５】
電子ビームの走査方向のマーク幅が走査方向と直交方向の長さに比べて小さいスリット形状の開口マーク上を、前記電子ビームにより走査して、検出素子により検出される第１の信号をもとに前記電子ビームのビームサイズを計測する第１の計測工程と、前記電子ビームを直線状のエッジ形状をもつ開口マーク上を走査して、前記検出素子により検出される第２の信号をもとに前記電子ビームのビームサイズを計測する第２の計測工程とを含み、前記第１の計測工程と前記第２の計測工程とを、計測する前記電子ビームのビームサイズに応じて用いるようにしたことを特徴とする電子ビーム計測方法。
【請求項６】
請求項５に記載の電子ビーム計測方法において、前記スリット形状の開口マークは、計測する最小のビームサイズ以下の前記マーク幅と、計測する最大のビームサイズ以上の前記長さを有することを特徴とする電子ビーム計測方法。
【請求項７】
請求項５に記載の電子ビーム計測方法において、計測する電子ビームを前記電子検出素子に照射し、ビーム電流値を計測することにより、前記第２の計測工程でのビームサイズの補正を行う第３の計測工程を含むことを特徴とする電子ビーム計測方法。
【請求項８】
請求項５に記載の電子ビーム計測方法において、前記第１の計測工程において適用するビームサイズの範囲と、前記第２の計測工程において適用するビームサイズの範囲が重複するようにしたことを特徴とする電子ビーム計測方法。
【請求項９】
請求項６に記載の電子ビーム計測方法において、前記電子ビームは、可変成形ビームもしくは一括図形ビームであることを特徴とする電子ビーム計測方法。
【請求項１０】
電子銃から放射される電子ビームを試料上に照射し走査することにより、前記試料上に所望のパターンを形成する電子光学系と、前記電子ビームのビームサイズを計測するための電子ビーム検出器とを備えた電子ビーム描画装置において、前記電子ビーム検出器は、電子ビームの走査方向のマーク幅が走査方向と直交方向の長さに比べて小さいスリット形状の開口マークを備えた少なくとも１個の第１の散乱体領域と、直線状のエッジ形状をもつ開口マークを備えた少なくとも１個の第２の散乱体領域と、前記第１の散乱体領域上に電子ビームを走査して、散乱された電子を制限する開口部を備えた制限絞りと、前記制限絞りおよび前記第２の散乱体領域からの電子を検出する電子検出素子とを有し、
前記第１の散乱体領域と前記第２の散乱体領域とは、計測する前記電子ビームのビームサイズに応じて切り替えて用いられるものであることをすることを特徴とする電子ビーム描画装置。
【請求項１１】
請求項１０に記載の電子ビーム描画装置において、前記電子ビーム検出器は、電子ビームの走査方向のマーク幅が走査方向と直交方向の長さに比べて小さいスリット形状の開口マークを備えた複数の第１の散乱体領域と、直線状のエッジ形状をもつ開口マークを備えた複数の第２の散乱体領域とを有し、前記第１の散乱体領域と前記第２の散乱体領域とが一支持体上に交互に配置されていることを特徴とする電子ビーム描画装置。
【請求項１２】
請求項１０又は１１に記載の電子ビーム描画装置において、前記スリット形状の電子ビーム検出器の前記開口マークは、計測する最小のビームサイズ以下の前記マーク幅と、計測する最大のビームサイズ以上の前記長さを有することを特徴とする電子ビーム計測方法。
【請求項１３】
請求項１０又は１１に記載の電子ビーム描画装置において、前記電子ビーム検出器から得られたビームサイズ計測値に関する信号を基に、前記電子光学系を調整する補正データを作成し、前記補正データにより前記試料上でのパターン描画にフィードバックする手段を有することを特徴とする電子ビーム描画装置。
【請求項１４】
請求項１０又は１１に記載の電子ビーム描画装置において、前記電子ビーム検出器から得られたビームサイズ計測値に関する信号を基に設定ビームサイズを校正する手段を有し、描画するパターンデータに応じて前記校正されたビームサイズを用いて描画を行うことを特徴とする電子ビーム描画装置。
【請求項１５】
請求項１２に記載の電子ビーム描画装置において、前記電子ビームは、可変成形ビームもしくは一括図形ビームであることを特徴とする電子ビーム描画装置。
【発明の詳細な説明】
【技術分野】
【０００１】
本発明は、半導体集積回路などの加工、描画に用いられる電子ビーム描画における電子ビーム計測技術に関する。
【背景技術】
【０００２】
半導体集積回路の高密度化、高集積化は更に進展し、これに伴い形成すべき回路パターンの微細化も急速に進んでいる。多くの回路パターンは、マスクのパターンを縮小投影露光する光リソグラフィーが用いられている。特に１００ｎｍ以下のいわゆる波長限界以下のパターン形成は、様々な超解像技術を用いるため、縮小投影でありながらマスクパターンに求められる寸法精度は数ｎｍである。
【０００３】
このため、マスク描画を行う電子ビーム描画装置の電子ビームにも極めて高い精度が要求される。高い精度のビームを発生させるためには、ビームプロファイルの計測が重要である。ここで、プロファイルとは、ビームサイズ、電子光学系の収差によるボケ、焦点や非点のずれによるボケ、ビーム面内の歪、ビームの中心位置、ビーム強度などである。このうち、特にビームサイズの計測誤差は、直接マスクのパターンサイズの精度に反映されるため、ビームサイズを正確に測定することが、描画精度を高める上で必須である。
【０００４】
ビームプロファイルの測定は、電子ビームの反射率の異なる材質（例えば、シリコン基板上のタングステン）でマークを形成し、これを走査することによる反射電子信号の変化として行っていた。しかしながら、高精度な測定を行うためには十分なコントラストとＳ/Ｎを得ることが困難になってきていた。
【０００５】
これに対して、いわゆるナイフエッジを用いた透過検出によりビームサイズを計測すれば、十分なコントラストを得ることが可能である。また、例えば、特開２００４−３５５８８４号公報では、ビームサイズより幅の狭い透過マーク上を走査して、ビームサイズ計測を行う方法が提案されている。このとき、透過した電子を計測する素子として、ファラデーカップの様に電流を直接計測するのではなく、フォトダイオードのような半導体検出素子を用いれば、更に信号強度を増やすことが可能であることも開示されている。
【０００６】
また、微小なビームサイズを計測する手段として、例えば、特開平１１−１４９８９３号公報に示されているように、ビーム電流を計測することにより、ビームサイズを推定し、校正する方法も提案されている。
【０００７】
【特許文献１】特開２００４−３５５８８４号公報
【特許文献２】特開平１１−１４９８９３号公報
【発明の開示】
【発明が解決しようとする課題】
【０００８】
上述したように、特に１００ｎｍノード以降要求される描画パターンの寸法精度を実現するためには、高精度にビームサイズを測定する必要がある。通常、可変成形方式の描画装置が用いる最大のビームサイズは２μｍ角程度である。これに対して、最小のビームサイズは１０ｎｍ程度となることもある。これは、マスク描画ではＯＰＣ（光近接補正）のため、光学上解像しない寸法を補助的に付加することを多用して、光露光の波長限界を超える努力をしているためである。従って、ビーム計測を行う範囲は、ビームの一辺の長さで１０倍以上、面積で１００倍以上の広いレンジに及ぶことになる。
【０００９】
ビームサイズを計測する方法としては、計測するビームサイズに比較して充分に大きい反射マーク上を走査する反射電子検出方法と、直線状のいわゆるナイフエッジを横切るように走査して透過電流を計測するナイフエッジ法（透過検出法）がある。
【００１０】
透過検出法の特徴として、反射電子検出法に比較して検出信号で高いコントラストを得ることができるが、上記のごとく１００倍以上異なる面積のビームを計測するということは、ビーム電流値も同様に変化し、検出回路の動作保証範囲（ダイナミックレンジ）も同様に必要となる。必要な測定精度を長さで１ｎｍとすれば１００万分の１を保証する必要があり、検出回路の高精度化が問題となる。
【００１１】
この問題は、幅の狭いいわゆるスリット形状のマーク上を走査して計測を行えば低減される。しかし、スリット幅以下のビームサイズは検出できず、また、スリット形状のマーク加工に限界がある。現状、要求される、ビームサイズはスリット形状の加工限界以下も計測する必要があり、完全に要求を満たせないという問題があった。
【００１２】
そこで、本発明の目的は、電子ビーム描画装置において、幅広い領域に渡ってビームサイズを高精度に計測することが可能な電子ビーム計測技術を提供することにある。
【課題を解決するための手段】
【００１３】
上記目的を達成するために、本発明では、下記の示すような特徴を有する。
【００１４】
（１）本発明の電子ビーム検出器は、電子ビームの走査方向のマーク幅が走査方向と直交方向の長さに比べて小さいスリット形状の開口マークを備えた少なくとも１個の第１の散乱体領域と、直線状のエッジ形状をもつ開口マークを備えた少なくとも１個の第２の散乱体領域と、前記第１の散乱体領域および前記第２の散乱体領域からの電子を検出する電子検出素子とを有することを特徴とする。
【００１５】
（２）前記電子ビーム検出器において、前記第１の散乱体領域および前記第２の散乱体領域を、それぞれ複数個有し、かつ、一支持体上に配置してなることを特徴とする。
【００１６】
（３）前記電子ビーム検出器において、前記スリット形状の開口マークは、計測する最小のビームサイズ以下の前記マーク幅と、計測する最大のビームサイズ以上の前記長さを有することを特徴とする。
【００１７】
（４）本発明の電子ビーム計測方法は、電子ビームの走査方向のマーク幅が走査方向と直交方向の長さに比べて小さいスリット形状の開口マーク上を、前記電子ビームにより走査して、検出素子により検出される第１の信号をもとに前記電子ビームのビームサイズを計測する第１の計測工程と、前記電子ビームを直線状のエッジ形状をもつ開口マーク上を走査して、前記検出素子により検出される第２の信号をもとに前記電子ビームのビームサイズを計測する第２の計測工程とを含み、前記第１の計測工程と前記第２の計測工程とを、前記電子ビームの計測するビームサイズに応じて切替えて用いるようにしたことを特徴とする。
【００１８】
（５）前記電子ビーム計測方法において、前記スリット形状の開口マークは、計測する最小のビームサイズ以下の前記マーク幅と、計測する最大のビームサイズ以上の前記長さを有することを特徴とする。
【００１９】
（６）前記電子ビーム計測方法において、計測する電子ビームを前記電子検出素子に照射し、ビーム電流値を計測することにより、前記第２の計測工程でのビームサイズの補正を行う第３の計測工程を含むことを特徴とする。
【００２０】
（７）前記電子ビーム計測方法において、前記第１の計測工程において適用するビームサイズの範囲と、前記第２の計測工程において適用するビームサイズの範囲が重複するようにしたことを特徴とする。
【００２１】
（８）本発明の電子ビーム描画装置は、電子銃から放射される電子ビームを試料上に照射し走査することにより、前記試料上に所望のパターンを形成する電子光学系と、前記電子ビームのビームサイズを計測するための電子ビーム検出器とを備えた電子ビーム描画装置において、前記電子ビーム検出器は、電子ビームの走査方向のマーク幅が走査方向と直交方向の長さに比べて小さいスリット形状の開口マークを備えた少なくとも１個の第１の散乱体領域と、直線状のエッジ形状をもつ開口マークを備えた少なくとも１個の第２の散乱体領域と、前記第１の散乱体領域上に電子ビームを走査して、散乱された電子を制限する開口部を備えた制限絞りと、前記制限絞りおよび前記第２の散乱体領域からの電子を検出する電子検出素子とを有することを特徴とする。
【００２２】
（９）前記電子ビーム描画装置において、前記電子ビーム検出器は、電子ビームの走査方向のマーク幅が走査方向と直交方向の長さに比べて小さいスリット形状の開口マークを備えた複数の第１の散乱体領域と、直線状のエッジ形状をもつ開口マークを備えた複数の第２の散乱体領域とを有し、前記第１の散乱体領域と前記第２の散乱体領域とが一支持体上に交互に配置されていることを特徴とする。
【００２３】
（１０）前記電子ビーム描画装置において、前記スリット形状の開口マークは、計測する最小のビームサイズ以下の前記マーク幅と、計測する最大のビームサイズ以上の前記長さを有することを特徴とする。
【００２４】
（１１）前記電子ビーム描画装置において、前記電子ビーム検出器から得られたビームサイズ計測値に関する信号を基に、前記電子光学系を調整する補正データを作成し、前記補正データにより前記試料上でのパターン描画にフィードバックする手段を有することを特徴とする。
【００２５】
（１２）前記電子ビーム描画装置において、前記電子ビーム計測方法を用いて計測したビームサイズから設定ビームサイズを校正する手段を有し、描画するパターンデータに応じて前記校正されたビームサイズを用いて描画を行うことを特徴とする。
【発明の効果】
【００２６】
本発明によれば、幅広い領域に渡ってビームサイズを高精度に計測することが可能な電子ビーム計測技術を提供できる。また、この計測結果を元にビームサイズを校正することにより、高精度な描画を行うことが可能な電子ビーム描画装置を提供することができる。
【発明を実施するための最良の形態】
【００２７】
以下、本発明の実施例を、図面を参照して詳細に説明する。
【００２８】
図１は、本発明の一実施例における第１の計測方法を示す図である。図１の（Ａ）、（Ｂ）は、電子ビーム検出器の上面図を示す。図１の（Ａ）では、散乱体１０１上にスリット形状の開口１０２が加工されている。電子ビーム（ａ）１０３をこのスリット形状の開口１０２の上を走査する。ここで、矢印は走査方向を示している。
【００２９】
図１の電子ビームからみて下流側（紙面の奥方向）に、散乱された電子を制限する散乱制限絞り、および制限絞りを通過した電子を検出する電子検出素子（共に図示せず）を設置している。なお、電子検出素子には半導体検出器を使用した。スリット形状の開口の幅は、部材の厚さとの比で決定される。微細な幅を加工する場合には、部材の厚さも薄くする必要がある。本実施例では、２μｍ厚のシリコン薄膜を用いた。２μｍのシリコン薄膜に、例えば５０ｋＶの電子ビームを照射すると、透過率は概略１００％である。しかしながら、散乱制限絞りを用いて適切な散乱角で散乱電子をカットし、電子検出素子に入射される電子を制限すればコントラストが維持できる。本実施例では、上記２μｍ厚のシリコン薄膜の散乱体１０１に０.２μｍ幅のスリット形状の開口１０２を加工した。
【００３０】
本実施例では、スリット形状とは、走査方向の幅が直交方向の長さに比べて小さい形状と定義する。走査方向の幅は、計測する最小のビームサイズ以下であり、走査方向と直交方向の長さは、計測する最大のビームサイズ以上の大きさが必要である。本実施例では、最大２μｍビームを計測するので、長さ３μｍ、幅０.２μｍのスリットとした。
【００３１】
図１の矢印の走査方向をＸ方向とすると、直行するＹ方向もスリット形状の開口１０２を９０度回転させ、走査方向をＹ方向とすれば、同様に測定可能である。
【００３２】
図１の（Ｂ）は、図１の（Ａ）に示すような電子ビーム１０３（ａ）とは異なる大きさの電子ビーム（ｂ）１０４を計測することを示している。その計測方法は、図１の（Ａ）に示した方法と同様である。
【００３３】
図３は、本発明の一実施例における第２の計測方法を示す図である。図１と同様、電子ビーム検出器の上面図を示す。図３の（Ａ）における散乱体３０１と電子ビーム（ａ）３０３は、図１と同様である。この電子ビーム（ａ）３０３を、直線状のエッジ形状をもつマーク、いわゆるナイフエッジ３０５上を矢印で示す走査方向に走査することでビームサイズを計測する。本実施例では、図１のスリット開口と共通化を図るため、ナイフエッジも散乱体３０１で製作した。Ｙ方向の計測も同様である。
【００３４】
また、図３の（Ｂ）は、図３の（Ａ）に示した電子ビーム（ａ）３０３とは異なる大きさの電子ビーム（ｂ）１０４を計測することを示している。その計測方法は、図３の（Ａ）に示した方法と同様である。
【００３５】
次に、ビームサイズを求める方法について説明する。
【００３６】
図２は、本発明で用いる電子ビーム描画装置の構成の一例を示している。
【００３７】
電子銃２０１から放射された電子ビーム２０２は、第１マスク２０３を照射し、第１マスク２０３の像は第２マスク２０５上に照射される。第２マスク２０５上には可変成形用の開口と一括図形用の開口が設けられており、これらは選択偏向器２０４により選択され、可変成形または一括図形形状のビームを発生させる。この第２マスク２０５の像は縮小レンズ２０６により縮小され、第１対物レンズ２０７と第２対物レンズ２０８によりＸＹステージ２１０上に設置された試料２０９に投影される。ＸＹステージ２１０は、ＸＹステージ制御装置２１２により制御される。対物レンズ内の電子ビームは、主偏向制御装置２１３からの偏向信号で駆動される主偏向器２１４に、また、副偏向制御装置２１５からの偏向信号で駆動される副偏向器２１６により試料２０９上での描画位置を決定される。ＸＹステージ２１０、主偏向器２１４および副偏向器２１６は、描画制御装置２１１により描画パターンに応じて同期して制御される。試料２０９上の合わせマークは、マーク上を走査した電子ビームの反射電子を反射電子検出器２１７により捕捉し信号処理装置２１９で増幅、位置検出演算を行った後、描画制御装置２１１に下層形状として認識され、合わせ描画が行われる。
【００３８】
ビームサイズの計測には、ＸＹステージ２１０上に設置した電子ビーム検出器２１８を用いる。電子ビーム検出器２１８には、図１に示すスリット開口やナイフエッジが形成されている。ここで得られた信号は、信号処理装置２１９で増幅や波形処理されて描画制御装置２１１に入力される。描画制御装置２１１は、計測されたデータに基づき理想的なビームサイズを演算し、補正データを作成する。補正データの説明は、後述する。このとき、演算された理想的なビームサイズと測定値のずれや２種のビームサイズ計測方法などが、描画制御装置２１１に接続された表示装置２２０に表示される。さらに、この補正データに基づいて、試料上でのパターン描画の際にフィードバックを行うことにより、高精度な描画が実現できる。
【００３９】
図４の（Ａ）は、図１の（Ａ）に示したスリット開口上を走査した際の走査距離と信号波形の関係を示している。信号強度は電流値概略０を０％、最大電流値を１００％として規格化してある。信号強度０％と信号強度１００％の中間５０％の幅（走査距離との交点）がビームサイズとなる。また、波形の立ち上がりおよび立下りの幅、たとえば、信号強度１０％と信号強度９０％の幅は、スリット幅とビームボケ、スリットのエッジラフネスを加えた値となる。このように、スリット開口を用いた走査では、信号強度から直接ビームサイズを決定することが可能である。
【００４０】
一方、図４の（Ｂ）には、図３の（Ａ）に示したナイフエッジを走査した際の走査距離と信号波形の関係を示す。この信号強度は、ビーム電流の積分波形となる。この信号波形に微分演算を行うと、図４の（Ｃ）に示す波形を得ることができる。ビームサイズは、この波形の信号強度０％と信号強度１００％の中間５０％の幅で決定できる。
【００４１】
上記の、第１の計測方法と第２の計測方法での信号処理にカーブフィッテイングを用いる方法もある。ただし、フィッテイングを用いる場合にしても、対象となる波形形状が異なるため、ビームサイズを求めるための信号強度波形の処理の仕方が異なる。
【００４２】
図５の（Ａ）は、スリットを走査した場合で、測定するビームサイズを変えた場合の信号強度波形である。図１の（Ａ）の電子ビーム（ａ）１０３と図１の（Ｂ）の電子ビーム（ｂ）１０４を走査した場合に対応している。電子ビーム（ａ）１０３の一辺の長さを１とした場合の波形を図５の（Ａ）の信号ａ、電子ビーム（ｂ）１０４の一辺の長さを２分の１（面積４分の１）とした場合の波形を信号ｂで示している。
【００４３】
また、図５の（ｂ）は、ナイフエッジを走査した場合の波形を示している。図３の（Ａ）の電子ビーム（ａ）３０３を走査した信号強度波形は図５の（Ｂ）の信号ａ、図３の（Ｂ）の電子ビーム（ａ）３０４を走査した信号強度波形は図５の（Ｂ）の信号ｂに対応する。ビームの面積の関係は、上記と同様、電子ビーム（ａ）３０３の一辺の長さを１とした場合、電子ビーム（ｂ）３０４の一辺の長さは２分の１である。
【００４４】
図５の（Ａ）では、信号ａと信号ｂの最大値の比は２：１である。これは、スリット幅は同じで、スリットが切り取るビーム（スリット開口を透過するビーム）は、正方形ビームの一辺の長さに比例するためである。
【００４５】
しかし、図５の（Ｂ）では、信号ａと信号ｂの最大値の比は４：１となる。これは、ビーム面積そのものが信号強度の差となるためである。
【００４６】
図５の例では、一辺の長さ２：１（面積４：１）の場合を示しているが、例えば、ビームサイズ計測範囲を２.０〜０.２μｍとすれば、一辺の長さが１０：１となり、スリットでは信号強度比が１０となるが、ナイフエッジでは信号強度比が１００となってしまう。これは信号処理装置内の検出回路のダイナミックレンジを１００倍以上に渡って精度を保証する必要があり、実現困難である。
【００４７】
スリットによる計測は、計測可能なビームサイズに下限がある。図４の（Ａ）に示す信号強度波形の傾斜している部分は、スリット幅とビームボケとスリット開口のエッジラフネスの合計となる。通常、エッジラフネスはスリット開口幅に対して充分小さいので、計測値に与える影響は小さい。ただし、ビームボケは無視し得ない量であるため、例えば、０.２μｍのスリット開口で、０.２μｍのビームを計測する場合には、ビーム位置とスリット開口が一致する場合にでも、ビームボケの分だけ電流量が減少し、１００％の信号強度が下がることになる。ビームサイズは信号強度０と１００％の中間５０％で決定するため、計測値には誤差が生ずることになる。
【００４８】
従って、第１の計測方法と第２の計測方法の切り替えは、スリット幅よりも大きいビームサイズで行うこととする。また、第１の計測方法と第２の計測方法との計測値の整合性をとるため、ある特定のビームサイズは両方の計測方法を用いて、誤差が無いことを確認する。
【００４９】
ナイフエッジによる計測方法でも、ビームサイズが小さくなると電流量の絶対値が減少し、ＳＮ比が悪化することで計測精度が落ちる。また、例えば、計測するビーム幅が０.１μｍ以下では、ビームボケが支配的になり、走査波形の微分では正確にビームサイズを決定できなくなる。この領域では、ビーム電流値によるビームサイズ補正行ってもよい。この方法は、上記第１と第２の計測方法により求めたビームサイズを基準にし、例えば０.４μｍ未満の領域でのビームサイズを変化させて電流量を測定し、ビームサイズと電流値とが比例関係である、すなわち電流密度が一定であるという前提でビームサイズを計測する方法である。これを、第３の計測方法とする。具体的には、Ｘ方向またはＹ方向のどちらかのサイズを固定し、他方のサイズを変化させながら電流値を測定する。その後、電流密度が一定になるように各ビームサイズを変化させる補正方法である。例えば、Ｙ方向１.０μｍ、Ｘ方向０.１μｍのビームサイズで電流値を計測した結果、１.０μｍ角のビームサイズでの電流密度から計算される電流値よりも少なかったとする。この場合には、Ｘ方向のビームサイズを増やして（例えば、０.１１μｍ）計算値に合った電流値となるように補正を行う。
【００５０】
上記の、第１、第２、第３の計測方法を適切に切り替えることにより、広い領域でのビームサイズ補正を高精度に行うことが可能となる。
【００５１】
図６は、電子ビーム検出器の別の構成例を示し、検出器の一支持体上にスリット開口とナイフエッジを配置した図である。スリットとナイフエッジを切り替えて使用するため、マークの高さが異なると２つの計測方法間で計測値に誤差が生ずる。このため、可能な限り近傍に設置する必要がある。また、スリットでもナイフエッジでも長期間使用すると、電子ビームと残留気体の相互作用にて発生するコンタミネーションが不着して精度が低下する可能性がある。このため、多くのマークを配置することは、マークの交換頻度を低減する有効な方法である。本例では、図６に示すように、支持体６０１上に複数の散乱体領域６０２を設け、各散乱体領域６０２にはスリット開口６０３とナイフエッジ開口６０４を近傍にかつ交互に配置した。
【００５２】
次に、本発明による電子ビーム検出器を用いて得られたビームサイズ測定値を描画にフィードバックする手順を、図７を用いて説明する。なお、電子ビーム描画装置の構成要素は、図２の符号を用いて説明する。
【００５３】
本発明のビームサイズ校正は、描画装置を稼動する上で最適な間隔で実施される。ビームサイズの校正開始は、特定の時間間隔、または、特定の描画量（例えば、ウェハ処理ロット毎）、またはオペレーターが与える（ステップ１）。
【００５４】
第１の計測方法を行うマークへのステージ移動や、偏向信号発生、などの手順はあらかじめ図２に示す描画制御装置２１１にプログラムされ、自動的に実行される。検出信号の処理は、信号処理装置２１９で実施され、描画制御装置２１１に取り込まれ、各ビームのビームサイズとして保存される（ステップ２）。
【００５５】
次に、第２の計測方法を行うマークへのステージ移動や、偏向信号発生、などの手順もあらかじめ描画制御装置２１１にプログラムされ、自動的に実行される。ステップ２と同様に検出信号の処理は、信号処理装置２１９で実施され、描画制御装置２１１に取り込まれ、各ビームのビームサイズとして保存される（ステップ３）。
【００５６】
ステップ２で得られたビームサイズとステップ３で得られたビームサイズは一部を重複しており、この差があらかじめ決められた許容値内かどうか、第１の計測方法と第２の計測方法との計測値の整合性の判断を行う（ステップ４。）
許容値から外れていた場合には、表示装置２２０にエラーを示す結果を表示し、オペレーターに、測定条件などの変更を促して終了する（ステップ５）。
【００５７】
ステップ４で許容値内であった場合、描画制御装置２１１内で補正式に用いる補正係数を算出する。本実施例の電子ビーム描画装置では、補正式として次式を用いる。
Ｘ＝Ａ0＋Ａ1・Ｂx＋Ａ2・Ｂy＋Ａ3・ＢxＢy
Ｙ＝Ｂ0＋Ｂ1・Ｂx＋Ｂ2・Ｂy＋Ｂ3・ＢxＢy
ここで、Ｂx、ＢyはそれぞれＸ方向、Ｙ方向のビームサイズを、Ｘ、Ｙはそれぞれ補正されたＸ方向、Ｙ方向のビームサイズを、Ａ0、Ａ1、Ａ2、Ａ3、Ｂ0、Ｂ1、Ｂ2、Ｂ3は補正係数を示す。ステップ２とステップ３で得られたビームサイズのデータを用いて、最も誤差が少なくなるように、例えば、最小二乗法を用いて、係数Ａ0、Ａ1、Ａ2、Ａ3、Ｂ0、Ｂ1、Ｂ2、Ｂ3を算出する。この補正係数は、第１の計測方法と第２の計測方法の全ての測定結果を使用して算出しても良い。また、第１の計測方法と第２の計測方法でそれぞれの補正係数をもち、それぞれ算出しても良い。
【００５８】
上記で算出した補正係数を、描画制御装置２１１内の補正演算回路に設定する。実際の描画時には、描画すべきパターン毎に設定するビームサイズが変化し、かつ高速に設定する必要があるため、そのつど演算をする回路を構成するのは困難である。従って、上記補正式を元にあらかじめ補正用のテーブル（参照表）に補正データを作成しておき、描画時には参照することでビームサイズの補正を行う（ステップ６）。
【００５９】
ここで、再度ステップ２、ステップ３と同じ計測を行い、計測した全てのビームサイズでの設定したビームサイズとの誤差（補正誤差）が、あらかじめ決められた許容値内かどうかの判断を行う（ステップ７）。
【００６０】
許容値から外れていた場合には、補正誤差を表示装置２２０に表示した後、再度ステップ２から実行し直す（ステップ８）。
【００６１】
ステップ７で許容値内であれば、補正誤差を表示装置２２０に表示して校正動作を終了する（ステップ９）。
【００６２】
本電子ビーム検出器を用いて可変成形ビーム描画装置のビームサイズ校正を行った後、描画を行えば、広いビームサイズの領域において高精度な描画が実現できる。
【００６３】
図８は、測定誤差を表す画面の一例を示す。この画面は、図２に示す電子ビーム描画装置の描画制御装置２１１と接続された表示装置２２０上に表示される。図８の横軸はＸ方向のビームサイズを、縦軸はＹ方向のビームサイズを示す。本例は、ＸＹともに０.４から２.０μｍまでの範囲を０.４μｍピッチで、計２５通りのビームサイズを計測したものである。ＸＹそれぞれのビームサイズの交点を中心として、設定ビームサイズより計測ビームサイズが大きければ、右側（Ｘ方向）と上側（Ｙ方向）に、小さければ左側（Ｘ方向）と下側に差分を表示している。誤差が大きければ面積の大きな矩形が表示される。図中の破線はスリットによる計測範囲で、斜線を施した矩形により誤差を示しており、一点差線はナイフエッジによる計測範囲で、塗りつぶした矩形により誤差を示している。
【００６４】
この例では、０.８μｍのサイズを２種の計測方法で重複して計測している。図８中のハッチングを施した部分が重複領域である。本実施例では、両者の差は最大２ｎｍであり許容範囲であるため（図８の画面の右側にある□印は、縦横１ｎｍのスケールを示す。）、２種の計測方法の平均値をその点の計測値として、２５点のデータから補正係数を算出した。
【００６５】
以上詳述したように、本発明によれば、複数の計測方法を最適に切り替えて使用することにより、幅広い領域に渡ってビームサイズを高精度に計測することが可能な電子ビーム計測技術を提供できる。また、この計測結果を元にビームサイズを校正することにより、高精度な描画を行うことが可能な電子ビーム描画装置を提供することができる。
【図面の簡単な説明】
【００６６】
【図１】本発明の一実施例における第１の計測方法を説明する図。
【図２】本発明で用いる電子ビーム描画装置の構成の一例を示す図。
【図３】本発明の一実施例における第２の計測方法を説明する図。
【図４】図１、図３の計測方法による検出信号を示す図。
【図５】ビームサイズによる検出信号の差を示す図。
【図６】本発明による電子ビーム検出器の別の構成例を示す図。
【図７】本発明の計測方法によるビームサイズ校正の手順を説明する図。
【図８】本発明のビームサイズ計測結果を表示する画面の一例を示す図。
【符号の説明】
【００６７】
１０１…散乱体、１０２…スリットマーク開口部、１０３…電子ビームａ、１０４…電子ビームｂ、２０１…電子銃、２０２…電子ビーム、２０３…第１マスク、２０４…選択偏向器、２０５…第２マスク、２０６…縮小レンズ、２０７…第１対物レンズ、２０８…第２対物レンズ、２０９…試料、２１０…ＸＹステージ、２１１…描画制御装置、２１２…ＸＹステージ制御装置、２１３…主偏向制御装置、２１４…主偏向器、２１５…副偏向制御装置、２１６…副偏向器、２１７…反射電子検出器、２１８…電子ビーム検出器、２１９…信号処理装置、２２０…表示装置、３０１…散乱体、３０３…電子ビームａ、３０４…電子ビームｂ、３０５…ナイフエッジ、６０１…支持体、６０２…散乱体領域、６０３…スリット開口、６０４…ナイフエッジ開口。
【図１】
0004627467.tif 000002
【図２】
0004627467.tif 000003
【図３】
0004627467.tif 000004
【図４】
0004627467.tif 000005
【図５】
0004627467.tif 000006
【図６】
0004627467.tif 000007
【図７】
0004627467.tif 000008
【図８】
0004627467.tif 000009